(57)【要約】【課題】樹脂等の流動解析等において、より自由度が高く、使用しやすいデータベースを構築することができる流動解析システムを提供する。【解決手段】解析システム（１）を、解析される材料に関する材料情報を記憶する記憶部（３１）と、前記材料に関する前記第１の材料情報とは異なる第２の材料情報を入力可能な入力部（１０，１１）と、前記第１の記憶部に記憶された前記第１の材料情報と関連付けて、前記入力部から入力された前記第２の材料情報を記憶する第２の記憶部（３２）と、を含む構成とした。【選択図】図１
2008165715.tif 000002
【特許請求の範囲】
【請求項１】
解析される材料に関する第１の材料情報を記憶する第１の記憶部と、
前記材料に関する前記第１の材料情報とは異なる第２の材料情報を入力可能な入力部と、
前記第１の記憶部に記憶された前記第１の材料情報と関連付けて、前記入力部から入力された前記第２の材料情報を記憶する第２の記憶部と、
を含むことを特徴とする流動解析システム。
【請求項２】
請求項１に記載された流動解析システムであって、
前記材料は、樹脂材料、又は、金型の材料であること、
を特徴とする流動解析システム。
【請求項３】
請求項１又は請求項２に記載された流動解析システムであって、
前記第１の材料情報は、樹脂流動解析の解析情報、前記材料のベース材料に関する情報、又は、製造メーカに関する情報であること、
を特徴とする流動解析システム。
【請求項４】
請求項１から請求項３までのいずれか１項に記載された流動解析システムであって、
前記第２の材料情報は、添加物に関する情報、又は、前記材料の物理特性に関する情報であること、
を特徴とする流動解析システム。
【請求項５】
請求項１から請求項４までのいずれか１項に記載された流動解析システムであって、
前記第１の記憶部に記憶された前記第１の材料情報と前記第２の記憶部に記憶された前記第２の材料情報とを関連付けて検索を行う検索部を含むこと、
を特徴とする流動解析システム。
【請求項６】
請求項１から請求項５までのいずれか１項に記載された流動解析システムであって、
前記第１の記憶部に記憶された前記第１の材料情報を用いて解析を行う解析部を含むこと、
を特徴とする流動解析システム。
【請求項７】
請求項１から請求項６までのいずれか１項に記載された流動解析システムであって、
通信網を介して、前記第２の材料情報を含むホームページ又はデータベースにアクセス可能な通信部と、
前記通信部を制御して前記ホームページ又は前記データベースにアクセスし、前記第２の材料情報を取得して前記第２の記憶部に記憶させる制御部とを備えること、
を特徴とする流動解析システム。
【発明の詳細な説明】
【技術分野】
【０００１】
本発明は、樹脂等の流動解析を行う流動解析システムに関するものである。
【背景技術】
【０００２】
従来から、樹脂流動解析ソフトは、樹脂流動特性等の実測データが記憶された樹脂材料データベース、金型材料データベース等を備えていた。しかし、実際に流動解析を行う現場では、これらのデータベースは、材料の選択方法等の自由度が低く使いにくいという問題があった。従来技術として、特許文献１が知られている。
【特許文献１】特開２００１−２７７３２０号公報
【発明の開示】
【発明が解決しようとする課題】
【０００３】
本発明の課題は、樹脂等の流動解析等において、より自由度が高く、使用しやすいデータベースを構築することができる流動解析システムを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、解析される材料に関する第１の材料情報を記憶する第１の記憶部（３１，３３）と、前記材料に関する前記第１の材料情報とは異なる第２の材料情報を入力可能な入力部（１０，１１）と、前記第１の記憶部に記憶された前記第１の材料情報と関連付けて、前記入力部から入力された前記第２の材料情報を記憶する第２の記憶部（３２，３４）と、を含むことを特徴とする流動解析システムである。
【０００５】
請求項２の発明は、請求項１に記載された流動解析システムであって、前記材料は、樹脂材料、又は、金型の材料であること、を特徴とする流動解析システムである。
請求項３の発明は、請求項１又は請求項２に記載された流動解析システムであって、前記第１の材料情報は、樹脂流動解析の解析情報、前記材料のベース材料に関する情報、又は、製造メーカに関する情報であること、を特徴とする流動解析システムである。
請求項４の発明は、請求項１から請求項３までのいずれか１項に記載された流動解析システムであって、前記第２の材料情報は、添加物に関する情報、又は、前記材料の物理特性に関する情報であること、を特徴とする流動解析システムである。
請求項５の発明は、請求項１から請求項４までのいずれか１項に記載された流動解析システムであって、前記第１の記憶部に記憶された前記第１の材料情報と前記第２の記憶部に記憶された前記第２の材料情報とを関連付けて検索を行う検索部を含むこと、を特徴とする流動解析システムである。
請求項６の発明は、請求項１から請求項５までのいずれか１項に記載された流動解析システムであって、前記第１の記憶部（３１，３３）に記憶された前記第１の材料情報を用いて解析を行う解析部を含むこと、を特徴とする流動解析システムである。
請求項７の発明は、請求項１から請求項６までのいずれか１項に記載された流動解析システムであって、通信網（３）を介して、前記第２の材料情報を含むホームページ（４）又はデータベース（５）にアクセス可能な通信部（１２）と、前記通信部を制御して前記ホームページ又は前記データベースにアクセスし、前記第２の材料情報を取得して前記第２の記憶部（３２，３４）に記憶させる制御部（２１）とを備えること、を特徴とする流動解析システムである。
【発明の効果】
【０００６】
本発明によれば、樹脂等の流動解析において、より自由度が高く、使用しやすいデータベースを構築することができる流動解析システムを提供することができる。
【発明を実施するための最良の形態】
【０００７】
［実施形態］
以下、図面等を参照して、本発明の実施形態をあげて、さらに詳しく説明する。
図１は、本実施形態の流動解析システム１のブロック図である。図２は、本実施形態の流動解析システム１の流動解析情報の例を示す図である。
図１に示すように、本実施形態の流動解析システム１は、流動解析端末１０と、入出力端子１１と、通信回路１２と、制御部２０と、樹脂基本材料情報記憶部３１と、樹脂付加材料情報記憶部３２と、金型基本材料情報記憶部３３と、金型付加材料情報記憶部３４とを備えている。
流動解析システム１は、流動解析端末１０と入出力端子１１とが、例えば、ＬＡＮケーブル等を用いて電気的に接続されており、流動解析システム１の各記憶部の材料に関する情報（以下、「材料情報」という。）等を、各流動解析端末１０が共有で利用することができる。また、流動解析システム１は、インターネット等の通信網３を介して、材料情報が記載された各製造メーカのホームページ４、材料情報が蓄積されたデータベース５にアクセス可能である。
【０００８】
流動解析端末１０では、流動解析システム１の流動解析情報に基づいて、樹脂の射出成形における流動解析が行われ、ウェルドライン及びヒケのチェック、変形形状の予測等が行われる。
入出力端子１１は、制御部２０と各流動解析端末１０との間で材料情報等の入出力をするために設けられた入出力端子である。
通信回路１２は、通信網３を介して、製造メーカのホームページ４、データベース５等にアクセスするための電気回路である。
【０００９】
制御部２０は、流動解析システム１を統括的に制御するための制御部であり、例えば、ＣＰＵ（中央処理装置）等から構成される。制御部２０は、通信制御部２１と、記憶部制御部２２と、端末制御部２３とを備え、これら各制御部は、情報を伝達するために電気的に接続されている。
通信制御部２１は、通信回路１２を制御して、通信網３を介して材料情報が記載された製造メーカのホームページ４、データベース５等にアクセスし、材料情報を取得するための制御部である。
記憶部制御部２２は、流動解析システム１の各記憶部の情報を管理するための制御部である。記憶部制御部２２は、通信制御部２１が取得した材料情報を、樹脂付加材料情報記憶部３２、金型付加材料情報記憶部３４に記憶させたり、更新する（詳細は、後述する）。また、記憶部制御部２２は、流動解析を行う場合には、樹脂基本材料情報記憶部３１の基本材料情報（後述する）と樹脂付加材料情報記憶部３２の付加材料情報（後述する）とを関連付けて、各記憶部の情報を検索することができる。同様に、記憶部制御部２２は、金型基本材料情報記憶部３３の基本材料情報と金型付加材料情報記憶部３４の付加材料情報とを関連付けて、各記憶部の情報を検索することができる。
端末制御部２３は、各記憶部と流動解析端末１０との間の材料情報の伝達を制御するための制御部である。
【００１０】
樹脂基本材料情報記憶部３１と、樹脂付加材料情報記憶部３２と、金型基本材料情報記憶部３３と、金型付加材料情報記憶部３４とは、ハードディスク等の記憶装置であり、流動解析に関する情報を記憶している。
樹脂基本材料情報記憶部３１は、樹脂材料の製造メーカに関する情報、樹脂材料の種類に関する情報、ベース材料に関する情報、流動解析情報等の樹脂材料の基本材料情報を記憶するための記憶部である。ここで、樹脂材料の種類とは、ポリカーボネイト、アクリル樹脂等の樹脂の種類の他、例えば、Ａ社製の「ポリカーボネイト−１」、Ｂ社製の「ポリカーボネイト−２」等のような各製造メーカの銘柄の種類を含むものをいう。樹脂基本材料情報記憶部３１の基本材料情報は、例えば、流動解析ソフト等に予め含まれた情報であり、樹脂流動解析ソフトを、流動解析システム１にインストールすることにより、樹脂基本材料情報記憶部３１に記憶される。
例えば、図１に示すように、樹脂材料の種類が銘柄「ポリカーボネイト−１」であれば、この材料に関する基本材料情報は、「製造メーカ：Ａ社」、「ベース材料：ポリカーボネイト」、「添加物：グラスファイバ３０％」及び流動解析情報である。また、樹脂基本材料情報記憶部３１の流動解析情報は、図２（ａ）、図２（ｂ）に示すような、粘度データ、ＰＶＴ（圧力−体積−温度）データの他、熱伝導率、機械的特性のデータ等であり、流動解析端末１０が、これらの情報を基に、流動解析を行う。
【００１１】
樹脂付加材料情報記憶部３２は、樹脂材料の基本材料情報とは異なる材料情報である付加材料情報を、樹脂基本材料情報記憶部３１の基本材料情報に関連付けて記憶したり、更新する記憶部である。
例えば、材料の添加物に関する付加材料情報である「ふっ素樹脂１％」という情報は、ユーザが登録することにより、樹脂基本材料情報記憶部３１の基本材料情報である銘柄「ポリカーボネイト−１」に関連付けて、樹脂付加材料情報記憶部３２に記憶されたものである。同様に、材料の物理特性に関する付加材料情報である「摺動性良」という情報は、ユーザが登録することにより、樹脂基本材料情報記憶部３１の基本材料情報である銘柄「ポリカーボネイト−３」に関連付けて記憶された情報である。
【００１２】
金型基本材料情報記憶部３３は、金型材料の製造メーカに関する情報、金型材料の種類に関する情報、ベース材料に関する情報、流動解析情報等の金型材料の基本材料情報を記憶するための記憶部である。金型材料の種類とは、「ＳＫＤ６１」のようにＪＩＳ規格等により定義される種類の他、Ｄ社製の「ＳＫＤ６１−１」、Ｅ社製の「ＳＫＤ６１−２」等のような各製造メーカの銘柄の種類を含むものをいう。
金型基本材料情報記憶部３３の基本材料情報は、樹脂基本材料情報記憶部３１と同様に、流動解析ソフト等に予め含まれた情報であり、樹脂流動解析ソフトを、流動解析システム１にインストールすることにより記憶される。金型基本材料情報記憶部３３の流動解析情報は、例えば、ヤング率等の材料強度等に関する情報であり、これらの情報に基づいて、流動解析端末１０が射出圧、型締力の解析を行う。
【００１３】
金型付加材料情報記憶部３４は、樹脂付加材料情報記憶部３２と同様に、金型材料の基本材料情報とは異なる付加材料情報を記憶したり、更新する記憶部である。例えば、金型基本材料情報記憶部３３の基本材料情報である「耐摩耗性」等の物理特性に関する付加材料情報は、ユーザが登録することにより、銘柄「ＳＫＤ６１−１」、「ＳＫＤ６−１」に、それぞれ関連付けて記憶された情報である。
【００１４】
図３は、本実施形態の流動解析システム１の付加材料情報の記憶、更新処理を示すフローチャートである。
ここでは、材料の銘柄「ポリカーボネイト−１」に付加材料情報「ふっ素樹脂１％」を記憶させる場合を説明する。
最初に、ステップ（以下、「Ｓ」という。）１０１において、流動解析システム１を、付加材料情報を入力する材料入力モードにすることにより、一連の処理がスタートする。
【００１５】
Ｓ１０２において、ユーザが、流動解析端末１０に材料の種類「ポリカーボネイト−１」、付加材料情報「ふっ素樹脂１％」と入力すると、流動解析端末１０が、これらの情報を流動解析システム１に出力し、端末制御部２３が、入出力端子１１を介してこれらの情報を受信する。
Ｓ１０３において、記憶部制御部２２は、「ふっ素樹脂０．１％」という付加材料情報を、樹脂基本材料情報記憶部３１の基本材料情報である銘柄「ポリカーボネイト−１」に関連付けて、樹脂付加材料情報記憶部３２に記憶させる。
なお、「ポリカーボネイト−３」のように、１つの材料に対して複数の付加材料情報を記憶させる場合には、付加材料情報「ふっ素樹脂１％」に、付加材料情報「摺動性良」を追加して、樹脂付加材料情報記憶部３２の情報を更新すればよい。
【００１６】
このように、流動解析システム１は、付加材料情報を、樹脂基本材料情報記憶部３１の基本材料情報に関連付けて、新たに記憶させることができる。これにより、樹脂流動解析ソフト等により、予め登録された「グラスファイバ３０％」という基本材料情報の他に、「ふっ素樹脂１％」等の新たな付加材料情報を、追加して記憶することができる。また、流動解析システム１は、樹脂基本材料情報記憶部３１の基本材料情報をそのままにして、樹脂付加材料情報記憶部３２に付加材料情報を追加することができるので、データベースの構築を容易に行うことができる。
【００１７】
図４は、本実施形態の流動解析システム１が、材料情報に基づいて、流動解析情報を検索する場合の処理を示すフローチャートである。図５は、本実施形態の流動解析システム１の検索結果の表示例である。
ここでは、材料検索の条件が、基本材料情報「ポリカーボネイト」と付加材料情報「ふっ素樹脂１％」とである場合を例に説明する。
最初に、Ｓ２０１において、流動解析システム１を、材料を読み出す材料読出モードにすることにより、一連の処理がスタートする。
Ｓ２０２において、ユーザが、流動解析端末１０に、材料検索の条件として基本材料情報「ポリカーボネイト」、付加材料情報「ふっ素樹脂１％」と入力すると、流動解析端末１０が、これらの情報を流動解析システム１に出力し、端末制御部２３がこれらの情報を受信する。
【００１８】
Ｓ２０３において、記憶部制御部２２は、付加材料情報「ふっ素樹脂１％」をキーワードとして、樹脂付加材料情報記憶部３２から該当する樹脂を検索する。本実施形態では、樹脂付加材料情報記憶部３２に、該当する銘柄「ポリカーボネイト−１」、「ポリカーボネイト−２」、「アクリル−１」が、付加材料情報「ふっ素樹脂１％」であると関連付けされて記憶されており、該当する情報が存在するので（Ｓ２０３；ＹＥＳ）、記憶部制御部２２は、これらの樹脂を抽出し、Ｓ２０４に進む。なお、該当する付加材料情報がない場合（Ｓ２０３；ＮＯ）、記憶部制御部２２は、Ｓ２０３１に進む。
Ｓ２０４において、記憶部制御部２２は、材料の種類が「ポリカーボネイト」であるので、Ｓ２０３で抽出した銘柄「ポリカーボネイト−１」、「ポリカーボネイト−２」、「アクリル−１」のなかに、該当する銘柄「ポリカーボネイト−１」、「ポリカーボネイト−２」が存在するので（Ｓ２０４；ＹＥＳ）、これらの流動解析情報を読み出し、Ｓ２０５に進む。なお、該当する銘柄がない場合（Ｓ２０４；ＮＯ）、記憶部制御部２２は、Ｓ２０３１に進む。
【００１９】
Ｓ２０５において、端末制御部２３は、該当する樹脂材料が銘柄「ポリカーボネイト−１」、「ポリカーボネイト−２」である旨の情報を、流動解析端末１０に出力し、図５に示すように、端末制御部２３が、検索結果をモニタ等に表示する。ユーザは、銘柄「ポリカーボネイト−１」、「ポリカーボネイト−２」のうち、希望する樹脂を選択する。端末制御部２３は、これに応じて、選択された樹脂の流動解析情報を、流動解析端末１０に出力し、流動解析端末１０が流動解析を開始する。
【００２０】
一方、前述したように、Ｓ２０３において、記憶部制御部２２に該当する付加材料情報がない場合（Ｓ２０３；ＮＯ）、及び、Ｓ２０４において、樹脂基本材料情報記憶部３１に該当する銘柄がない場合（Ｓ２０４；ＮＯ）、記憶部制御部２２は、Ｓ２０３１に進む。
Ｓ２０３１において、通信制御部２１は、各製造メーカのホームページにアクセスし、該当する付加材料情報を有する樹脂を検索し、その樹脂の流動解析情報を、製造メーカのデータベースからダウンロードする。その後、記憶部制御部２２は、ダウンロードした流動解析情報を、樹脂基本材料情報記憶部３１に記憶させ、付加材料情報を樹脂付加材料情報記憶部３２に記憶させる。
例えば、検索する条件が、材料の種類「ポリカーボネイトと付加材料情報「ふっ素樹脂５％」とである場合、図１に示すように、該当する樹脂が樹脂基本材料情報記憶部３１、樹脂付加材料情報記憶部３２に存在しない。この場合、通信制御部２１は、通信回路１２を制御して製造メーカのホームページにアクセスし該当する樹脂を検索する（図１のホームページ４には、Ａ社ホームページにアクセスして、該当する銘柄「ポリカーボネイト−４」が表示される例を示している。）。その後、記憶部制御部２２は、流動解析情報を、データベース５からダウンロードして樹脂基本材料情報記憶部３１に記憶させ、付加材料情報「ふっ素樹脂５％」を樹脂付加材料情報記憶部３２に記憶させる。なお、この場合、付加材料情報「ふっ素樹脂５％」が製造メーカのホームページではなく、データベースに蓄積されているときは、通信制御部２１は、製造メーカのデータベースにアクセスして付加材料情報を検索、取得してもよい。
【００２１】
あるいは、樹脂基本材料情報記憶部３１に該当する銘柄が存在しているが、付加材料情報が樹脂付加材料情報記憶部３２に登録されていない場合には、この付加材料情報を、この銘柄に関連付けて樹脂付加材料情報記憶部３２に記憶させる。
例えば、銘柄「ポリカーボネイト−１」が「耐熱性良」という特性を有していても、この情報は、樹脂付加材料情報記憶部３２に記憶されていない。この場合、通信制御部２１は、通信回路１２を制御してＡ社のホームページにアクセスして、「耐熱性良」という付加材料情報を取得する。そして、樹脂基本材料情報記憶部３１の基本材料情報である銘柄「ポリカーボネイト−１」に関連付けて、付加材料情報「耐熱性良」を樹脂付加材料情報記憶部３２に記憶させる。
【００２２】
このように、流動解析システム１は、材料検索に該当する樹脂が各記憶部に存在しない場合であっても、各メーカのホームページ、データベースから情報を取得して、流動解析を行うことができる。また、製造メーカに関わらず、付加材料情報に基づいて、材料を選択することができる。
【００２３】
なお、流動解析システム１は、樹脂の検索において、該当する付加材料情報が樹脂付加材料情報記憶部３２、製造メーカのホームページ、データベースに存在しないときは、類似する付加材料情報から樹脂を検索するようにしてもよい。例えば、検索する条件が基本材料情報「ポリカーボネイト」、付加材料情報「ふっ素樹脂２％」であれば、該当する付加材料情報は、樹脂付加材料情報記憶部３２内に存在しないので、流動解析システム１は、付加材料情報「ふっ素樹脂２％」に近似する付加材料情報「ふっ素樹脂１％」の「ポリカーボネイト−１」、「ポリカーボネイト−２」を抽出する。
このような類似する付加材料情報に基づく流動解析は、新たに発売等された樹脂材料の流動解析を行う場合に有益である。新たに発売等された樹脂材料の場合、ユーザは、実験データの不足から流動解析情報を入手できないときがある。このような場合であっても、ユーザは、付加材料情報に基づいて、この新たな材料の付加材料情報に類似した樹脂を容易に検索することができるので、精度の高い流動解析を行うことができる。
【００２４】
また、以上の例は、樹脂の材料に基づく流動解析を行う場合であるが、金型の基本材料、付加材料情報においても、同様な処理を行うことより、金型材料を検索し、流動解析を行うことができる。
【００２５】
以上説明したように、流動解析システム１は、ユーザが樹脂付加材料情報記憶部３２に登録した付加材料情報をキーワードとして、樹脂基本材料情報記憶部３１の基本材料情報と樹脂付加材料情報記憶部３２の付加材料情報とを関連付けて、樹脂基本材料情報記憶部３１の樹脂材料を検索することができる。これにより、樹脂流動解析ソフト等により予め登録された情報の他に、「ふっ素樹脂１％」等の新たな付加材料情報に基づいて、樹脂材料を検索することができる。つまり、流動解析システム１は、樹脂を検索する場合の自由度を広げ、ユーザがより使いやすいデータベースを、記憶部に構築することができる。
また、流動解析システム１は、通信網３を経由して各製造メーカのホームページから、基本材料情報、付加材料情報を取得することにより、以前に流動解析をしたことのない樹脂であっても、容易に流動解析を行うことができる。
さらに、流動解析システム１は、複数の流動解析端末１０が各記憶部の情報を共有することにより、記憶された情報も有益に活用することができる。
【００２６】
（変形形態）
以上説明した実施形態に限定されることなく、種々の変形や変更が可能であって、それらも本発明の均等の範囲内である。
本実施形態において、流動解析システムは、検索条件に該当する付加材料情報が、樹脂付加材料情報記憶部等に存在しないときに、各メーカのホームページ等にアクセスする例を示したが、これに限定されない。例えば、定期的（例えば、１週間に一度等）に、各メーカのホームページ、データベースにアクセスして、新しい樹脂の付加材料情報を取得して、樹脂付加材料情報記憶部等に記憶させてもよい。これにより、データベースの情報を定期的に更新でき、新しい材料の場合であっても、流動解析を迅速に行うことができる。
【図面の簡単な説明】
【００２７】
【図１】本実施形態の流動解析システムのブロック図である。
【図２】本実施形態の流動解析システムの流動解析情報の例を示す図である。
【図３】本実施形態の流動解析システムの付加材料情報の記憶、更新処理を示すフローチャートである。
【図４】本実施形態の流動解析システムが、材料情報に基づいて、流動解析情報を検索する場合の処理を示すフローチャートである。
【図５】本実施形態の流動解析システムの検索結果の表示例である。
【符号の説明】
【００２８】
１…流動解析システム、３…通信網、４…ホームページ、５…データベース、１０…流動解析端末、１１…入出力端子、１２…通信回路、２０…制御部、２１…通信制御部、２２…記憶部制御部、２３…端末制御部、３１…樹脂基本材料情報記憶部、３２…樹脂付加材料情報記憶部、３３…金型基本材料情報記憶部、３４…金型付加材料情報記憶部
【図１】
2008165715.tif 000003
【図２】
2008165715.tif 000004
【図３】
2008165715.tif 000005
【図４】
2008165715.tif 000006
【図５】
2008165715.tif 000007